【手続補正書】
【提出日】平成20年7月15日(2008.7.15)
【手続補正１】
【補正対象書類名】明細書
【補正対象項目名】発明の名称
【補正方法】変更
【補正の内容】
【発明の名称】画像プリント作成装置および方法ならびにプログラム
【手続補正２】
【補正対象書類名】明細書
【補正対象項目名】特許請求の範囲
【補正方法】変更
【補正の内容】
【特許請求の範囲】
【請求項１】
使用者を含む被写体を撮影してその撮影画像をプリントする画像プリント作成装置であって、被写体を撮影して複数の撮影画像を生成する撮影手段と、上記撮影画像を表示する画像表示手段と、使用者の操作により上記撮影画像と合成される第２画像を入力する第２画像入力手段と、上記撮影画像と第２画像を合成して合成画像を生成する画像合成手段と、撮影画像や合成画像をプリント出力するプリント手段とを備え、
複数の撮影画像を画像表示手段に表示して第２画像の入力対象とする撮影画像を、使用者の選択入力により１枚以上の任意枚数選択する撮影画像選択手段を備えていることを特徴とする画像プリント作成装置。
【請求項２】
上記撮影画像選択手段で選択された撮影画像の数に応じ、第２画像入力手段による第２画像の入力可能時間を変更しうるようになっている請求項１記載の画像プリント作成装置。
【請求項３】
上記選択された撮影画像１枚あたりの入力可能時間を変更しうるようになっている請求項２記載の画像プリント作成装置。
【請求項４】
上記選択された撮影画像の数が多い場合より少ない場合に、撮影画像１枚あたりの入力可能時間を長くなるよう設定する請求項３記載の画像プリント作成装置。
【請求項５】
上記選択された撮影画像におけるトータルの入力可能時間を変更しうるようになっている請求項２記載の画像プリント作成装置。
【請求項６】
上記撮影画像選択手段が、第２画像の入力対象とする撮影画像を選択しない入力を受付可能になっている請求項１〜５のいずれか一項に記載の画像プリント作成装置。
【請求項７】
上記撮影画像選択手段が、第２画像の入力対象とする撮影画像を選択しない入力を受付た場合に、再度撮影手段による被写体の撮影画像の生成を行なうようになっている請求項６記載の画像プリント作成装置。
【請求項８】
上記撮影画像選択手段が、第２画像の入力対象とする撮影画像を選択しない入力を受付た場合に、第２画像の入力を行なわずに撮影画像をプリント出力するようになっている請求項６記載の画像プリント作成装置。
【請求項９】
第２画像入力手段を複数備えている請求項１〜８のいずれか一項に記載の画像プリント作成装置。
【請求項１０】
使用者を含む被写体を撮影してその撮影画像をプリントする画像プリント作成方法であって、被写体を撮影して複数の撮影画像を生成する撮影ステップと、上記撮影画像を表示する画像表示ステップと、使用者の操作により上記撮影画像と合成される第２画像を入力する第２画像入力ステップと、上記撮影画像と第２画像を合成して合成画像を生成する画像合成ステップと、撮影画像や合成画像をプリント出力するプリントステップとを備え、
上記画像表示ステップにおいて複数の撮影画像を表示して第２画像の入力対象とする撮影画像を、使用者の選択入力により１枚以上の任意枚数選択するようにしたことを特徴とする画像プリント作成方法。
【請求項１１】
使用者を含む被写体を撮影してその撮影画像をプリントする画像プリント作成方法であって、被写体を撮影して複数の撮影画像を生成する撮影ステップと、上記撮影画像を表示する画像表示ステップと、使用者の操作により上記撮影画像と合成される第２画像を入力する第２画像入力ステップと、上記撮影画像と第２画像を合成して合成画像を生成する画像合成ステップと、撮影画像や合成画像をプリント出力するプリントステップと、上記画像表示ステップにおいて複数の撮影画像を表示して第２画像の入力対象とする撮影画像を、使用者の選択入力により１枚以上の任意枚数選択するステップとをコンピュータ装置に実行させることを特徴とする画像プリント作成プログラム。
【手続補正３】
【補正対象書類名】明細書
【補正対象項目名】０００１
【補正方法】変更
【補正の内容】
【０００１】
【発明の属する技術分野】
本発明は、主としてゲームセンター等に設置され、硬貨等の投入により使用者を撮影してその撮影画像をプリントする画像プリント作成装置および方法ならびにプログラムに関するものである。
【手続補正４】
【補正対象書類名】明細書
【補正対象項目名】０００９
【補正方法】変更
【補正の内容】
【０００９】
本発明は、このような事情に鑑みなされたもので、複数の撮影画像を見比べて手書き画像等の第２画像の入力対象とする撮影画像を選択できる画像プリント作成装置および方法ならびにプログラムの提供を目的とする。
【手続補正５】
【補正対象書類名】明細書
【補正対象項目名】００１０
【補正方法】変更
【補正の内容】
【００１０】
【課題を解決するための手段】
上記の目的を達成するため、本発明の画像プリント作成装置は、使用者を含む被写体を撮影してその撮影画像をプリントする画像プリント作成装置であって、被写体を撮影して複数の撮影画像を生成する撮影手段と、上記撮影画像を表示する画像表示手段と、使用者の操作により上記撮影画像と合成される第２画像を入力する第２画像入力手段と、上記撮影画像と第２画像を合成して合成画像を生成する画像合成手段と、撮影画像や合成画像をプリント出力するプリント手段とを備え、
複数の撮影画像を画像表示手段に表示して第２画像の入力対象とする撮影画像を、使用者の選択入力により１枚以上の任意枚数選択する撮影画像選択手段を備えていることを要旨とする。
また、本発明の画像プリント作成方法は、使用者を含む被写体を撮影してその撮影画像をプリントする画像プリント作成方法であって、被写体を撮影して複数の撮影画像を生成する撮影ステップと、上記撮影画像を表示する画像表示ステップと、使用者の操作により上記撮影画像と合成される第２画像を入力する第２画像入力ステップと、上記撮影画像と第２画像を合成して合成画像を生成する画像合成ステップと、撮影画像や合成画像をプリント出力するプリントステップとを備え、
上記画像表示ステップにおいて複数の撮影画像を表示して第２画像の入力対象とする撮影画像を、使用者の選択入力により１枚以上の任意枚数選択するようにしたことを要旨とする。
また、本発明の画像プリント作成プログラムは、使用者を含む被写体を撮影してその撮影画像をプリントする画像プリント作成方法であって、被写体を撮影して複数の撮影画像を生成する撮影ステップと、上記撮影画像を表示する画像表示ステップと、使用者の操作により上記撮影画像と合成される第２画像を入力する第２画像入力ステップと、上記撮影画像と第２画像を合成して合成画像を生成する画像合成ステップと、撮影画像や合成画像をプリント出力するプリントステップと、上記画像表示ステップにおいて複数の撮影画像を表示して第２画像の入力対象とする撮影画像を、使用者の選択入力により１枚以上の任意枚数選択するステップとをコンピュータ装置に実行させることを要旨とする。
【手続補正６】
【補正対象書類名】明細書
【補正対象項目名】００１１
【補正方法】変更
【補正の内容】
【００１１】
すなわち、本発明は、複数の撮影画像を画像表示手段に表示して第２画像の入力対象とする撮影画像を選択する撮影画像選択手段を備えているため、画像表示手段に表示された複数の撮影画像を見比べて第２画像の入力対象とする撮影画像を選択できる。このため、使用者は、あらかじめ気に入った撮影画像を選び、安心してつぎに進めることから、あとで後悔することも減るし、複数人でプレイする場合に全員の意見を一致させるのも容易になる。このように、使用者が選択した好みの画像を用いることができることから、より使用者が納得できる撮影画像を得やすいうえ、プレイのやり直しの必要性が低下し、使用者にとっては時間と費用の節約となり、ゲームセンター等にとっては顧客の回転率の低下を防止できる。
【手続補正７】
【補正対象書類名】明細書
【補正対象項目名】００１２
【補正方法】変更
【補正の内容】
【００１２】
本発明において、上記撮影画像選択手段で選択された撮影画像の数に応じ、第２画像入力手段による第２画像の入力可能時間を変更しうるようになっている場合には、選択された撮影画像の数に応じて適切な第２画像の入力可能時間を設定できる。例えば、選択された枚数が多いときには１枚あたりの入力可能時間を短くしてプレイ時間の延長と顧客回転率の低下を防止したり、選択された枚数が少ないときには１枚あたりの入力可能時間を長くして使用者にじっくりと第２画像の入力を行なわせたりできる。
【手続補正８】
【補正対象書類名】明細書
【補正対象項目名】００１３
【補正方法】変更
【補正の内容】
【００１３】
本発明において、上記選択された撮影画像１枚あたりの入力可能時間を変更しうるようになっている場合には、選択された撮影画像の数に応じて適切な第２画像の入力可能時間を設定できる。例えば、選択された枚数が多いときには１枚あたりの入力可能時間を短くしてプレイ時間の延長と顧客回転率の低下を防止したり、選択された枚数が少ないときには１枚あたりの入力可能時間を長くして使用者にじっくりと第２画像の入力を行なわせたりできる。
【手続補正９】
【補正対象書類名】明細書
【補正対象項目名】００１４
【補正方法】変更
【補正の内容】
【００１４】
本発明において、上記選択された撮影画像の数が多い場合より少ない場合に、撮影画像１枚あたりの入力可能時間を長くなるよう設定する場合には、例えば、選択された枚数が多いときには１枚あたりの入力可能時間を短くしてプレイ時間の延長と顧客回転率の低下を防止したり、選択された枚数が少ないときには１枚あたりの入力可能時間を長くして使用者にじっくりとペン入力画像の入力を行なわせたりできる。
【手続補正１０】
【補正対象書類名】明細書
【補正対象項目名】００１５
【補正方法】変更
【補正の内容】
【００１５】
本発明において、上記選択された撮影画像におけるトータルの入力可能時間を変更しうれるようになっている場合には、選択された撮影画像の数に応じて適切な第２画像の入力可能時間を設定できる。例えば、選択された枚数が多いときには１枚あたりの入力可能時間を短くしてプレイ時間の延長と顧客回転率の低下を防止したり、選択された枚数が少ないときには１枚あたりの入力可能時間を長くして使用者にじっくりと第２画像の入力を行なわせたりできる。
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】変更
【補正の内容】
【００１７】
本発明において、上記撮影画像選択手段が、第２画像の入力対象とする撮影画像を選択しない入力を受付可能になっている場合には、例えば、得られた撮影画像のなかに気に入ったものがない場合に撮影のやり直しを行なうようにしたり、第２画像の入力の必要がない場合に、撮影画像だけをプリント出力したりできる。
【手続補正１３】
【補正対象書類名】明細書
【補正対象項目名】００１８
【補正方法】変更
【補正の内容】
【００１８】
本発明において、上記撮影画像選択手段が、第２画像の入力対象とする撮影画像を選択しない入力を受付た場合に、再度撮影手段による被写体の撮影画像の生成を行なうようになっている場合には、得られた撮影画像のなかに気に入ったものがない場合に撮影のやり直しを行なうことができ、納得のいく撮影画像を得ることができる。
【手続補正１４】
【補正対象書類名】明細書
【補正対象項目名】００１９
【補正方法】変更
【補正の内容】
【００１９】
本発明において、上記撮影画像選択手段が、第２画像の入力対象とする撮影画像を選択しない入力を受付た場合に、第２画像の入力を行なわずに撮影画像をプリント出力するようになっている場合には、第２画像の入力の必要がない場合に、余分な待ち時間や作業を省略することができる。
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】削除
【補正の内容】
【手続補正２１】
【補正対象書類名】明細書
【補正対象項目名】００２６
【補正方法】削除
【補正の内容】
【手続補正２２】
【補正対象書類名】明細書
【補正対象項目名】００２７
【補正方法】削除
【補正の内容】
【手続補正２３】
【補正対象書類名】明細書
【補正対象項目名】００２８
【補正方法】削除
【補正の内容】
【手続補正２４】
【補正対象書類名】明細書
【補正対象項目名】００２９
【補正方法】変更
【補正の内容】
【００２９】
本発明において、第２画像入力手段を複数備えている場合には、複数人でプレイする際に複数の使用者それぞれが第２画像を入力できてみんなが満足のいくプレイを楽しめる。
【手続補正２５】
【補正対象書類名】明細書
【補正対象項目名】００３０
【補正方法】削除
【補正の内容】
【手続補正２６】
【補正対象書類名】明細書
【補正対象項目名】００３１
【補正方法】削除
【補正の内容】
【手続補正２７】
【補正対象書類名】明細書
【補正対象項目名】００３２
【補正方法】削除
【補正の内容】
【手続補正２８】
【補正対象書類名】明細書
【補正対象項目名】００３３
【補正方法】削除
【補正の内容】
【手続補正２９】
【補正対象書類名】明細書
【補正対象項目名】００３４
【補正方法】削除
【補正の内容】
【手続補正３０】
【補正対象書類名】明細書
【補正対象項目名】００３５
【補正方法】削除
【補正の内容】
【手続補正３１】
【補正対象書類名】明細書
【補正対象項目名】００９０
【補正方法】変更
【補正の内容】
【００９０】
【発明の効果】
以上のように、本発明によれば、画像表示手段に表示された複数の撮影画像を見比べて第２画像を入力する撮影画像を選択できる。このため、使用者は、気に入った撮影画像を選び、安心してつぎに進めることから、あとで後悔することも減るし、複数人でプレイする場合に全員の意見を一致させるのも容易になる。このように、使用者が選択した好みの画像を用いることができることから、より使用者が納得できる撮影画像を得やすいうえ、プレイのやり直しの必要性が低下し、使用者にとっては時間と費用の節約となり、ゲームセンター等にとっては顧客の回転率の低下を防止できる。
【手続補正３２】
【補正対象書類名】明細書
【補正対象項目名】００９１
【補正方法】削除
【補正の内容】
【手続補正３３】
【補正対象書類名】明細書
【補正対象項目名】００９２
【補正方法】削除
【補正の内容】
【手続補正３４】
【補正対象書類名】明細書
【補正対象項目名】００９３
【補正方法】削除
【補正の内容】